(57)【要約】【課題】携帯電話機の着信履歴に保持された発信者電話機に対してコールバックを行う際に、携帯電話機の通信料を低減でき、発信者電話機のユーザに対し、そのユーザが希望する通話相手からのコールバックであることを通知できる。【解決手段】コードレス電話親機１０は、コードレス電話親機１０に対する子機としての携帯電話機４０と無線接続を行う無線ＬＡＮ  Ｉ／Ｆ部１０９と、固定電話網７０を介した固定電話機８０からの着信があった場合に、携帯電話機４０を着信鳴動させる親機制御部１１０と、を備える。親機制御部１１０は、コードレス電話親機１０からの着信が着信履歴として携帯電話機４０により記録されている場合に、着信履歴に対する発呼操作に応じて、携帯電話機４０からのコードレス電話親機１０の電話番号を用いたコールバックを固定電話機８０に対して行う。【選択図】図１８
2017158051.tif 000002
【特許請求の範囲】
【請求項１】
固定電話網に接続された電話装置であって、
前記電話装置に対する子機としての携帯電話機と無線通信する無線通信部と、
前記固定電話網を介した発信者電話機からの着信があった場合に、前記携帯電話機に前記着信を転送して着信鳴動させる制御部と、を備え、
前記制御部は、前記電話装置からの着信が着信履歴として前記携帯電話機により保持されている場合に、前記着信履歴に対する前記発信者電話機への発呼操作に応じて、前記携帯電話機からの前記電話装置の電話番号を用いたコールバックを前記発信者電話機に対して行う、
電話装置。
【請求項２】
請求項１に記載の電話装置であって、
前記制御部は、前記コールバックに対する前記発信者電話機の応答操作に応じて、前記携帯電話機と前記発信者電話機との間で通話を開始させる、
電話装置。
【請求項３】
請求項１に記載の電話装置であって、
前記無線通信部は、前記発呼操作により、前記電話装置と前記携帯電話機との間における通信路の形成開始時に、前記携帯電話機から送信された前記コールバックの対象となる前記発信者電話機の電話番号の情報を受信し、
前記制御部は、受信された前記発信者電話機の電話番号の情報を用いて、前記コールバックを行う、
電話装置。
【請求項４】
請求項１に記載の電話装置であって、
前記無線通信部は、前記発呼操作により、前記電話装置と前記携帯電話機との間における通信路の形成開始時に、前記携帯電話機から送信された接続要求を受信し、さらに、前記接続要求を受信後に、前記携帯電話機から送信された前記コールバックの対象となる前記発信者電話機の電話番号を受信し、
前記制御部は、受信された前記発信者電話機の電話番号の情報を用いて、前記コールバックを行う、
電話装置。
【請求項５】
請求項１に記載の電話装置であって、
前記制御部は、前記固定電話網を介した発信者電話機からの着信があった場合に、前記発信者電話機の電話番号を付加して前記携帯電話機に前記着信を転送する、
電話装置。
【請求項６】
固定電話網に接続された電話装置における着信転送制御方法であって、
前記電話装置に対する子機としての携帯電話機と無線通信し、
前記固定電話網を介した発信者電話機からの着信があった場合に、前記携帯電話機に前記着信を転送して着信鳴動させ、
前記電話装置からの着信が着信履歴として前記携帯電話機により保持されている場合に、前記着信履歴に対する前記発信者電話機への発呼操作に応じて、前記携帯電話機からの前記電話装置の電話番号を用いたコールバックを前記発信者電話機に対して行う、
着信転送制御方法。
【発明の詳細な説明】
【技術分野】
【０００１】
本発明は、電話装置及び着信転送制御方法に関する。
【背景技術】
【０００２】
近年、家庭に置く固定回線用の電話機は、リビングやキッチン、寝室などに子機を設置して使用できるコードレスタイプのものが普及している。ただ専用子機を追加するためにはそれなりにコストがかかるため、すでに広く利用及び普及している個人所有のスマートフォンをコードレス電話機の子機としても利用できるサービス機能が求められている。
【０００３】
このようなサービス機能を部分的に具現化する方法として、回線交換網からの着呼をインターネットなどパケット交換網上のクライアントに着信させる装置についての技術が知られている（例えば特許文献１参照）。
【先行技術文献】
【特許文献】
【０００４】
【特許文献１】特開平１１−３５５３５８号公報
【発明の概要】
【発明が解決しようとする課題】
【０００５】
しかしながら、特許文献１の構成では、パケット交換網上のクライアントに着信させる場合、次のような問題が考えられた。具体的には、上述したクライアントとしての携帯電話機が例えばマナーモードに設定されていたためにユーザが着信に気付かない場合、又はユーザが会議中や電車内等の通話が禁止される場所に居て着信に応答できない場合には、ユーザは、必要に応じて、コールバック（つまり、折返し電話）を行うが、特許文献１には、コールバックについて何も考慮されておらず、ユーザの使い勝手の向上の観点で不十分な面があった。
【０００６】
本発明は、上述した従来の状況に鑑みて案出され、子機としての携帯電話機の着信履歴に保持された発信者電話機に対してコールバックを行う際に、携帯電話機の通信料を低減でき、発信者電話機のユーザに対し、そのユーザが希望する通話相手からのコールバックであることを通知できる電話装置及び着信転送制御方法を提供することを目的とする。
【課題を解決するための手段】
【０００７】
本発明は、固定電話網に接続された電話装置であって、前記電話装置に対する子機としての携帯電話機と無線通信する無線通信部と、前記固定電話網を介した発信者電話機からの着信があった場合に、前記携帯電話機に前記着信を転送して着信鳴動させる制御部と、を備え、前記制御部は、前記電話装置からの着信が着信履歴として前記携帯電話機により保持されている場合に、前記着信履歴に対する前記発信者電話機への発呼操作に応じて、前記携帯電話機からの前記電話装置の電話番号を用いたコールバックを前記発信者電話機に対して行う、電話装置を提供する。
【０００８】
また、本発明は、固定電話網に接続された電話装置における着信転送制御方法であって、前記電話装置に対する子機としての携帯電話機と無線通信し、前記固定電話網を介した発信者電話機からの着信があった場合に、前記携帯電話機に前記着信を転送して着信鳴動させ、前記電話装置からの着信が着信履歴として前記携帯電話機により保持されている場合に、前記着信履歴に対する前記発信者電話機への発呼操作に応じて、前記携帯電話機からの前記電話装置の電話番号を用いたコールバックを前記発信者電話機に対して行う、着信転送制御方法を提供する。
【発明の効果】
【０００９】
本発明によれば、子機としての携帯電話機の着信履歴に保持された発信者電話機に対してコールバックを行う際に、携帯電話機の通信料を低減でき、発信者電話機のユーザに対し、そのユーザが希望する通話相手からのコールバックであることを通知できる。
【図面の簡単な説明】
【００１０】
【図１】第１の実施形態におけるコードレス電話システムの概要を示す模式図
【図２】第１の実施形態におけるコードレス電話システムの親機ブロック図
【図３】第１の実施形態におけるコードレス電話システムの子機ブロック図
【図４】第１の実施形態におけるコードレス電話システムの携帯情報端末ブロック図
【図５】第１の実施形態におけるコードレス電話システムの着信呼出シーケンス図
【図６】第１の実施形態におけるコードレス電話システムの留守応答シーケンス図
【図７】第１の実施形態におけるコードレス電話システムの親機の留守応答動作を示すフローチャート
【図８】第１の実施形態におけるコードレス電話システムの留守応答時の宅外携帯情報端末の応答シーケンス図
【図９】第１の実施形態におけるコードレス電話システムの留守応答時の対応を示す図
【図１０】第２の実施形態におけるコードレス電話システムの留守応答シーケンス図
【図１１】第２の実施形態におけるコードレス電話システムの親機の留守応答動作を示すフローチャート
【図１２】第２の実施形態におけるコードレス電話システムの留守応答時の対応を示す図
【図１３】第３の実施形態におけるコードレス電話システムの概要を示す模式図
【図１４】第３の実施形態におけるセッション確立時にＩＮＶＩＴＥメッセージを用いてコードレス電話親機から宅外スマホに発信者番号を通知する動作を示すシーケンス図
【図１５】第３の実施形態における着信鳴動中に表示される宅外スマホのＬＣＤ部の画面を示す図
【図１６】第３の実施形態におけるセッション確立時にＮＯＴＩＦＹメッセージを用いてコードレス電話親機から宅外スマホに発信者番号を通知する動作を示すシーケンス図
【図１７】第３の実施形態における着信鳴動中に表示される宅外スマホのＬＣＤ部の画面を示す図
【図１８】第４の実施形態におけるコードレス電話親機を経由する、携帯電話機から固定電話機へのコールバックの説明図
【図１９】着信履歴が表示された携帯電話機のＬＣＤ部の第１画面例を示す図
【図２０】セッション確立時にＩＮＶＩＴＥメッセージを用いて携帯電話機がコードレス電話親機にコールバック対象の電話番号を通知してコールバックを行う動作例を説明するシーケンス図
【図２１】セッション確立時にＮＯＴＩＦＹメッセージを用いて携帯電話機がコードレス電話親機にコールバック対象の電話番号を通知してコールバックを行う動作例を説明するシーケンス図
【図２２】第４の実施形態における携帯回線網を経由する、携帯電話機から固定電話機へのコールバックの説明図
【図２３】着信履歴が表示された携帯電話機のＬＣＤ部の第２画面例を示す図
【図２４】携帯回線網を介して携帯電話機が固定電話機にコールバックを行う動作例を説明するシーケンス図
【発明を実施するための形態】
【００１１】
以下、適宜図面を参照しながら、本発明に係る電話装置及び着信転送制御方法を具体的に開示した各実施形態を詳細に説明する。但し、必要以上に詳細な説明は省略する場合がある。例えば既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。以下、本発明に係る電話装置の一例として、コードレス電話装置の親機（後述するコードレス電話親機１０を参照）を例示して説明する。なお、本発明は、コードレス電話装置のコードレス電話親機１０の動作を規定した着信転送制御方法として表現することも可能である。
【００１２】
（第１の実施形態）
＜コードレス電話システムの概要＞
図１は、第１の実施形態におけるコードレス電話システムの概要を示す模式図である。以下、図１を用いて、コードレス電話システムの構成について説明する。なお、以下の説明において、携帯情報端末の一例としてスマートフォンを含む携帯電話機を挙げるが、本発明はこれに限定するものではない。
【００１３】
図１では、例えば宅内にコードレス電話親機１０が設けられ、コードレス電話親機１０は、無線ＬＡＮルータ機能を備えたアクセスポイント２０を介して、インターネットに接続しており、一方で、固定電話網に接続している。また、宅内には、コードレス電話親機１０と接続するコードレス電話子機３０と、アクセスポイント２０及び携帯電話網に接続する携帯電話機４０−１、４０−２が存在するものとする。なお、特定の携帯電話機を区別しない場合には、携帯電話機４０と総称する。
【００１４】
コードレス電話子機３０は、コードレス電話親機１０を介して、固定電話網に接続可能であり、コードレス電話親機１０及びアクセスポイント２０を介して、携帯電話機４０−１と接続可能である。携帯電話機４０−１は、アクセスポイント２０を介して、コードレス電話親機１０と無線ＬＡＮにて接続する。また、携帯電話機４０−１が、アクセスポイント２０及びコードレス電話親機１０を介して、コードレス電話子機３０、固定電話網に接続可能である。
【００１５】
携帯電話機４０が宅外において動作する場合、即ち図１における携帯電話機４０−２は、携帯電話網あるいはインターネット上の（図示しない）外部のアクセスポイントを介してインターネットに接続され、上述のインターネットに接続されたコードレス電話親機１０と接続可能に構成される。
【００１６】
なお、図１では、携帯電話機４０が、アクセスポイント２０を介して、コードレス電話親機１０と接続する場合を示しているが、コードレス電話親機１０に無線ＬＡＮリピータ機能を設け、携帯電話機４０が、コードレス電話親機１０とダイレクトに接続し、コードレス電話親機１０からアクセスポイント２０を介してインターネットに接続することもできる。
【００１７】
また、コードレス電話子機３０とコードレス電話親機１０とはＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）による無線通信方式を採用した例を示すが、本発明はこれに限定するものではない。
【００１８】
＜コードレス電話親機の構成＞
図２は、第１の実施形態におけるコードレス電話システムの親機ブロック図である。以下、図２を用いて、コードレス電話親機１０の構成について説明する。
【００１９】
ＮＣＵ及びモデム部１０１は、発信時の公衆回線との接続及び公衆回線からの着信検出などの電話回線の制御を行う回線制御回路（ＮＣＵ（Ｎｅｔｗｏｒｋ  Ｃｏｎｔｒｏｌ  Ｕｎｉｔ））と、着信時に公衆回線からの発信者番号情報を受信するモデム部である。
【００２０】
ＴＡＭ部１０２は、ＴＡＭ（Ｔｅｌｅｐｈｏｎｅ  Ａｎｓｗｅｒｉｎｇ  Ｍａｃｈｉｎｅ）であって、留守番電話メッセージを記憶し、メッセージの録音及び再生を行う。
【００２１】
記憶部１０３は、コードレス電話装置の各種設定データ、電話帳データ、発着信履歴情報、ＳＭＳメッセージなどの子機の通信履歴を含む子機付加情報を記憶する。
【００２２】
また、記憶部１０３は、子機情報を記憶する。子機情報は、各々のコードレス電話子機３０と、各々のコードレス電話子機３０の接続状態、子機名、子機番号（子機内線番号又はポート番号）、着信音メモリ情報（メモリ容量、又は再生時間）、使用ＣＯＤＥＣなどで構成され、子機名及び子機番号は、子機を識別するための子機識別情報として用いられる。
【００２３】
さらに、子機情報は、コードレス電話子機３０に関する情報の他に、携帯電話機４０に関する情報も記憶、管理している。特に、携帯電話機４０を携帯電話機４０−１として宅内で使用するのか、あるいは、携帯電話機４０−２として宅外で使用するのかの設定情報も記憶、管理している。例えば、宅外に発信する為の情報（電話番号や外部サーバー情報）もその設定情報となる。
【００２４】
音声入出力部１０４は、マイク、スピーカとＣＯＤＥＣから構成され、着信音の出力、通話音声の入力出力を行う。
【００２５】
操作部１０５は、ユーザが操作を行うダイヤル、各種機能ボタンから構成され、ＬＣＤ部１０６は、ＬＣＤ（Ｌｉｑｕｉｄ  Ｃｒｙｓｔａｌ  Ｄｉｓｐｌａｙ）などの表示部であって、各種情報を表示する。
【００２６】
コードレス電話子機無線Ｉ／Ｆ部１０７は、コードレス電話子機３０との無線データ送受信回路であり、無線信号の周波数変換を行うＲＦ／ＩＦ部、変調及び復調を行う変復調部、ＴＤＭＡ信号処理などを行うデジタル信号処理回路から構成される。
【００２７】
コードレス電話子機制御部１０８は、コードレス電話子機３０との間で制御データを送受信し、コードレス電話子機３０との間の制御プロトコル（例えば、ＤＥＣＴプロトコル方式、ＰＨＳプロトコル方式など）に従った発呼、着呼などのプロトコル制御を行う。なお、以下の説明では、コードレス電話子機３０との間の制御プロトコルにＤＥＣＴ方式を採用するものとする。
【００２８】
無線ＬＡＮ  Ｉ／Ｆ部１０９は、ＩＥＥＥ８０２．１１（Ｗｉ−Ｆｉ（登録商標））、の無線ＬＡＮプロトコル制御を行い、携帯電話機４０との無線データの送受信を行う。なお、無線ＬＡＮ  Ｉ／Ｆ部１０９は、Ｂｌｕｅｔｏｏｔｈ（登録商標）やＺｉｇＢｅｅ（登録商標）などの近距離無線通信技術を用いても良い。
【００２９】
親機制御部１１０は、コードレス電話親機１０全体を制御する。具体的には、親機制御部１１０は、親機制御部１１０周辺の各部から発生したイベント、メッセージを受信及び解析し、発着信呼の状態及び呼接続を制御し、各部に指示する。
【００３０】
親機制御部１１０は、例えば、ＮＣＵ及びモデム部１０１及びコードレス電話子機制御部１０８から受信したイベント、及び、各種メッセージを処理する。親機制御部１１０は、特に、固定電話網からＮＣＵ及びモデム部１０１に着信が有った場合、固定電話網から受信したメッセージに付帯する発信者番号を利用した各種サービスのための制御を行う。
【００３１】
また、親機制御部１１０は、例えば、（図示しない）タイマのタイムアウトのイベント発生により、ＴＡＭ部１０２を制御して留守番電話メッセージの録音・再生を行う。
【００３２】
また、親機制御部１１０は、例えば、記憶部１０３に記憶された携帯電話機４０を宅内で使用するのか、あるいは、宅外で使用するのかの設定情報を参照して、着信鳴動の停止／継続を制御する。この携帯電話機４０を宅内で使用するのか、あるいは、宅外で使用するのかの設定情報は、（図示しない）「外で通話」ボタンをコードレス電話親機１０に設けて、このボタンを利用者が外出時に押下することにより設定してもよい。
【００３３】
また、親機制御部１１０は、例えば、無線ＬＡＮ  Ｉ／Ｆ部１０９を介して、携帯電話機４０へ着信鳴動の停止のメッセージを送信する制御を行う。
【００３４】
＜コードレス電話子機の構成＞
図３は、第１の実施形態におけるコードレス電話システムの子機ブロック図である。以下、図３を用いて、コードレス電話子機３０の構成について説明する。
【００３５】
記憶部１３１は、例えば電話帳データなどのコードレス電話子機３０で使用する各種データを所定の記憶エリアに記憶する。
【００３６】
音声入出力部１３２は、マイク、スピーカとＣＯＤＥＣから構成され、着信音の出力、通話音声の入力出力を行う。
【００３７】
操作部１３３は、ユーザが操作を行うダイヤル及び各種機能ボタンから構成され、ＬＣＤ部１３４は、各種情報を表示する。
【００３８】
コードレス電話親機無線Ｉ／Ｆ部１３５は、コードレス電話親機１０との無線データ送受信回路であり、無線信号の周波数変換を行うＲＦ／ＩＦ部、変調及び復調を行う変復調部、ＴＤＭＡ信号処理などを行うデジタル信号処理回路から構成される。
【００３９】
コードレス電話親機制御部１３６は、コードレス電話親機１０との間で制御データを送受信し、コードレス電話親機１０との間の制御プロトコル（例えば、ＤＥＣＴプロトコル方式、ＰＨＳプロトコル方式など）に従った発呼、着呼などのプロトコル制御を行う。
【００４０】
子機制御部１３７は、コードレス電話子機３０全体を制御する。具体的には、子機制御部１３７は、子機制御部１３７周辺の各部から発生したイベント、メッセージを受信及び解析し、発着信呼の状態及び呼接続を制御し、各部に指示する。
【００４１】
子機制御部１３７は、例えば、固定電話網への着信時に、コードレス電話親機１０から発信者番号を利用したサービス情報を含む着信メッセージを受信すると、所定の着信音を鳴動させ、着信メッセージに付与されているサービス情報を抽出し、必要に応じて記憶部１３１の所定の記憶エリアにサービス情報を記憶させたり、ＬＣＤ部１３４に着信中の表示画面としてサービス情報を表示させたりするなどの制御を行う。
【００４２】
＜携帯情報端末の構成＞
図４は、第１の実施形態におけるコードレス電話システムの携帯情報端末ブロック図である。以下、図４を用いて、携帯電話機４０の構成について説明する。
【００４３】
セルラー無線Ｉ／Ｆ部１４１は、携帯電話用アンテナを介して携帯電話基地局との無線データ送受信を行う。
【００４４】
セルラー制御部１４２は、携帯電話基地局との間で制御データを送受信し、制御プロトコル（例えば、広く知られた３ＧＰＰ規格準拠の携帯電話プロトコルなど）に従った発呼、着呼などのプロトコル制御を行う。
【００４５】
記憶部１４３は、携帯電話機４０の各種設定データ、電話帳データ、発着信履歴情報、ＳＭＳメッセージ、各種画像データ、音楽データ（着信音データを含む）などの情報を記憶する。
【００４６】
音声入出力部１４４は、マイク、スピーカから構成され、着信音の出力、通話音声の入力出力を行う。
【００４７】
操作部１４５は、ユーザが操作を行うダイヤル及び各種機能ボタンから構成され、ＬＣＤ部１４６は、各種情報を表示する。なお、携帯電話機４０がスマートフォンの場合はタッチパネルが操作部１４５とＬＣＤ部１４６の機能を兼ね備える。
【００４８】
無線ＬＡＮ  Ｉ／Ｆ部１４７は、ＩＥＥＥ８０２．１１の無線ＬＡＮプロトコル制御を行い、コードレス電話親機１０との無線データの送受信を行う。なお、コードレス電話親機１０側に合わせてＢｌｕｅｔｏｏｔｈ（登録商標）やＺｉｇＢｅｅ（登録商標）などの近距離無線通信技術を用いても良い。
【００４９】
端末制御部１４８は、携帯電話機４０全体を制御する。具体的には、端末制御部１４８は、端末制御部１４８周辺の各部から発生したイベント、メッセージを受信及び解析し、発着信呼の状態及び呼接続を制御し、各部に指示する。
【００５０】
端末制御部１４８は、例えば、セルラー無線Ｉ／Ｆ部１４１を介して携帯電話基地局から受信した呼制御メッセージを処理する。また、端末制御部１４８は、無線ＬＡＮ  Ｉ／Ｆ部１４７を介してコードレス電話親機１０から受信した呼制御メッセージを処理する。
【００５１】
＜着信呼出〜留守応答まで＞
図５は、第１の実施形態におけるコードレス電話システムの着信呼出シーケンス図である。
【００５２】
固定電話網からコードレス電話親機１０に着信が有った場合（ステップ２０１）、コードレス電話親機１０のＮＣＵ及びモデム部１０１が、例えば広く知られたＱ．９３１仕様に準拠したＳｅｔｕｐメッセージを受信する。親機制御部１１０は、記憶部１０３を参照して着信すべき子機を確認する。
【００５３】
ここでは、記憶部１０３に、着信を転送すべき子機としてコードレス電話子機３０、携帯電話機４０−１、携帯電話機４０−２が登録されているものとして説明する。また、図１において説明したように携帯電話機４０−２は携帯電話機４０が宅外にある場合を示している。
【００５４】
親機制御部１１０は、コードレス電話親機１０自身を着信状態に遷移させるとともに、コードレス電話子機３０、携帯電話機４０−１、携帯電話機４０−２に対して着信処理を行う（ステップ２０２）。
【００５５】
コードレス電話子機３０への着信処理は、例えば上記Ｑ．９３１仕様に準拠したＳｅｔｕｐメッセージ相当の着信メッセージを送信することにより行う。また、携帯電話機４０への着信は、例えばＳＩＰ（Ｓｅｓｓｉｏｎ  Ｉｎｉｔｉａｔｉｏｎ  Ｐｒｏｔｏｃｏｌ）に準拠してＩＮＶＩＴＥメッセージによる着信メッセージを送信することにより行う。
【００５６】
携帯電話機４０へ送信するＩＮＶＩＴＥメッセージには、宅内の携帯電話機４０、即ち携帯電話機４０−１の場合は内部ネットワーク（ＬＡＮ）の宛先が含まれ、宅外の携帯電話機４０、即ち携帯電話機４０−２の場合は外部ネットワーク（ＷＡＮ）の宛先が含まれる。
【００５７】
着信メッセージを受信したコードレス電話子機３０、携帯電話機４０−１、携帯電話機４０−２は、それぞれのプロトコルに準拠した応答を行い呼出中の状態に遷移する（ステップ２０３）。呼出中の状態とは、具体的にはＬＣＤに発信者番号を表示して着信鳴動を行っているなどの状態である。
【００５８】
コードレス電話子機３０、携帯電話機４０−１、携帯電話機４０−２のそれぞれから着信メッセージに対する応答を受信したコードレス電話親機１０は、呼出中の状態に遷移する（ステップ２０４）。なお、コードレス電話親機１０と携帯電話機４０−２とが直接メッセージをやり取りするように説明したが、図１３に示すＳＩＰサーバ６０を介してやり取りを行っても良い（以下の説明においても同様）。
【００５９】
図６は、第１の実施形態におけるコードレス電話システムの留守応答シーケンス図である。
【００６０】
呼出中の状態に遷移したコードレス電話親機１０は、所定の時間が経過してもコードレス電話子機３０、携帯電話機４０−１、携帯電話機４０−２及びコードレス電話親機１０自身での利用者による応答操作がなかった場合（ステップ２０５）、以下に示す留守番電話メッセージによる留守応答を行う。
【００６１】
コードレス電話親機１０は、留守応答に先立ち、先ずコードレス電話親機１０自身の着信鳴動を停止するとともに、コードレス電話子機３０と携帯電話機４０−１に対して着信鳴動の停止処理を行う（ステップ２０６）。
【００６２】
コードレス電話子機３０への着信鳴動の停止処理は、例えば内部メッセージ、あるいは、上記Ｑ．９３１仕様に準拠したＩｎｆｏメッセージ相当のメッセージに着信鳴動の停止を示す情報要素を含めて送信することにより行う。また、携帯電話機４０−１への着信鳴動の停止処理は、例えばＳＩＰに準拠してＣＡＮＣＥＬメッセージを送信することにより行う。
【００６３】
ここで、第１の実施形態におけるコードレス電話システムにおいて特徴的なことは、留守応答を行う場合に、宅外の携帯電話機４０、即ち携帯電話機４０−２に対しては着信鳴動の停止処理は行わないことである。詳細は後述する。
【００６４】
コードレス電話親機１０は、次に宅内の携帯電話機４０、即ち携帯電話機４０−１に対して留守応答中を表示する処理を行う（ステップ２０７）。
【００６５】
携帯電話機４０−１への留守応答中を表示する処理は、例えばＳＩＰに準拠してＮＯＴＩＦＹメッセージに留守応答中表示を示す情報要素を含めて送信することにより行う。
【００６６】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網及びコードレス電話子機３０との間の音声パスを接続して留守番電話メッセージを聴取可能に制御する（ステップ２０８）。そして、コードレス電話親機１０は、呼出停止中で留守番電話メッセージ聴取中の状態に遷移する。なお、ステップ２０６においてＣＡＮＣＥＬメッセージの代わりに、着信鳴動の停止及び留守応答中表示を示す情報要素を含めたＮＯＴＩＦＹメッセージを送信しても良い。また、コードレス電話子機３０への着信鳴動の停止処理においても、着信鳴動の停止の他に、例えば留守番電話メッセージの聴取開始も併せて送信しても良い（以下の説明においても同様）。
【００６７】
図７は、第１の実施形態におけるコードレス電話システムの親機の留守応答動作を示すフローチャートである。
【００６８】
図７では、図６において説明したコードレス電話システムの留守応答動作の中でもコードレス電話親機１０の留守応答動作についてさらに詳しく説明する。
【００６９】
呼出中の状態に遷移したコードレス電話親機１０は、所定の時間が経過したか否かを判断する（ステップ３０１）。ここで所定の時間の経過とは、（図示しない）タイマのタイムアウトだけに限定されず、例えば着信鳴動を４回繰り返すといった条件であれば４回繰り返したか否かの判断も含む。これらの条件は、記憶部１０３に予め装置の初期値として設定しても良いし、利用者が操作部１０５などによりパラメータとして適宜、使用中に設定しても良い。
【００７０】
ステップ３０１において、所定の時間が経過していなければ所定の時間が経過するまで待つ（ステップ３０１：Ｎｏ）。所定の時間が経過していれば（ステップ３０１：Ｙｅｓ）、先ず音声入出力部１０４から発しているコードレス電話親機１０自身の着信鳴動を停止する（ステップ３０２）。
【００７１】
コードレス電話親機１０は、次に記憶部１０３に記憶されている登録子機（つまり、子機として登録されている携帯電話機と、さらにその携帯電話機についての宅外／宅内の情報を含む）と登録子機の現在の状態を参照する（ステップ３０３）。
【００７２】
コードレス電話親機１０は、ステップ３０３において、呼出中（着信鳴動中）の状態の宅外の携帯電話機があれば（ステップ３０３：Ｎｏ）、その宅外の携帯電話機の状態は変えずに、即ち着信鳴動をさせたままで、ステップ３０７に移行する。
【００７３】
コードレス電話親機１０は、ステップ３０３において、呼出中（着信鳴動中）の状態の子機や宅内の携帯電話機があれば（ステップ３０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ３０４）。
【００７４】
そして、コードレス電話親機１０は、着信鳴動を停止させた登録子機が宅内の携帯電話機か否かを判断し（ステップ３０５）、宅内の携帯電話機であれば（ステップ３０５：Ｙｅｓ）、その宅内の携帯電話機に留守応答中である旨の表示をさせるためのメッセージを無線ＬＡＮ  Ｉ／Ｆ部１０９を介して送信し、留守応答中である旨の表示をさせる処理を行う（ステップ３０６）。
【００７５】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０及びＴＡＭ部１０２と固定電話網との間の音声パスを接続する（ステップ３０７）。
【００７６】
留守番電話メッセージは、例えば、発信者に聞かせる「ただいま電話に出ることができません」という応答メッセージであり、ＯＧＭ（Ｏｕｔｇｏｉｎｇ  Ｍｅｓｓａｇｅ）とも言われる。また、そのＯＧＭ再生メッセージを聞いた発信者が残すメッセージはＩＣＭ（Ｉｎｃｏｍｉｎｇ  Ｍｅｓｓａｇｅ）とも言われる。
【００７７】
ＴＡＭ部１０２とコードレス電話親機１０自身との間の音声パスが接続されるとＴＡＭ部１０２からのＯＧＭ再生メッセージが音声入出力部１０４から発せられる。ＴＡＭ部１０２とコードレス電話子機３０の間の音声パスが接続されるとＴＡＭ部１０２からのＯＧＭ再生メッセージがコードレス電話子機無線Ｉ／Ｆ部１０７を介してコードレス電話子機３０に送信される。
【００７８】
ＴＡＭ部１０２と固定電話網との間の音声パスが接続されるとＴＡＭ部１０２からのＯＧＭ再生メッセージがＮＣＵ及びモデム部１０１を介して公衆回線につながる発信者に向けて送信される。また、ＮＣＵ及びモデム部１０１を介して受信する発信者からのＩＣＭ録音メッセージがＴＡＭ部１０２に録音される。
【００７９】
そして、コードレス電話親機１０自身は呼出停止中（留守番電話メッセージ聴取中）の状態に遷移する。
【００８０】
このように、コードレス電話親機１０は、留守応答を行う場合に、コードレス電話子機３０や宅内の携帯電話機４０−１に対しては着信鳴動の停止処理を行うが、宅外の携帯電話機４０、即ち携帯電話機４０−２に対しては着信鳴動の停止処理は行わないのである。
【００８１】
なお、上記では、呼出中の状態のコードレス電話親機１０が呼出停止中（留守番電話メッセージ聴取中）の状態に遷移する過程で、所定の時間の経過後に、先ずコードレス電話親機１０自身の着信鳴動を停止するように説明したが、その着信鳴動の停止や留守応答中である旨の表示を行う順序はこれに限定されるものではない。例えば、コードレス電話親機１０自身の着信鳴動を停止する前に、子機や宅内の携帯電話機の着信鳴動を停止しても良い。また、ステップ３０４〜ステップ３０６においてステップ３０５の判断を行うことなくコードレス電話子機３０及び携帯電話機４０−２のそれぞれに一括してメッセージを送信しても良い（以下の説明においても同様）。
【００８２】
＜留守応答〜宅外携帯情報端末の応答まで＞
図８は、第１の実施形態におけるコードレス電話システムの留守応答時の宅外携帯情報端末の応答シーケンス図である。
【００８３】
呼出中（着信鳴動中）の状態の宅外の携帯電話機４０、即ち携帯電話機４０−２において、利用者がオフフックして呼出に応答するとコードレス電話親機１０に応答メッセージ「２００  ＯＫ」を送信する（ステップ４０１）。
【００８４】
応答メッセージ「２００  ＯＫ」を受信したコードレス電話親機１０は固定電話網に対して着信応答処理を行う（ステップ４０２）とともに、呼出停止中で留守番電話メッセージ聴取中の状態にある携帯電話機４０−１とコードレス電話子機３０に対して解放処理を行う（ステップ４０３）。
【００８５】
着信応答処理は、コードレス電話親機１０が固定電話網に向けて着信に対する応答を示す、例えば、Ｃｏｎｎｅｃｔメッセージを送信することにより行う。
【００８６】
解放処理は、コードレス電話親機１０が携帯電話機４０−１に向けて、例えば、ＢＹＥメッセージを送信（あるいは、コードレス電話親機１０からＣＡＮＣＥＬメッセージを送信した後、携帯電話機４０−１から応答メッセージ「２００  ＯＫ」を受信）することにより行う。同様にコードレス電話子機３０に向けて、例えば、Ｒｅｌメッセージを送信することにより行う。
【００８７】
以上により、携帯電話機４０−２は固定電話網との通話中状態となり、携帯電話機４０−１とコードレス電話子機３０は待機中状態に遷移する。さらに、コードレス電話親機１０自身も待機中状態に遷移する。
【００８８】
＜留守応答時の時間経過による対応＞
図９は、第１の実施形態におけるコードレス電話システムの留守応答時の対応を示す図である。
【００８９】
図９において、着信からＯＧＭ再生などの時間経過とともに携帯電話機４０−１などが対応可能な動作の一例を示す。
【００９０】
符号５０１に示すコードレス電話親機１０及びコードレス電話子機３０は、符号５０４に示すベル着信の期間は、ベル鳴動をデフォルトで４回繰り返す。この期間中に着信に対する応答が無ければ、ベル鳴動を停止し、符号５０５に示すＯＧＭ再生の期間に移る。
【００９１】
符号５０５に示すＯＧＭ再生の期間は、ＯＧＭ再生の音声をモニタし、コードレス電話親機１０又はコードレス電話子機３０においてオフフックによって着信に対する応答があれば着信可能である。この期間中に着信に対する応答が無ければ、符号５０６に示すＩＣＭ録音の期間に移る。
【００９２】
符号５０６に示すＩＣＭ録音の期間は、ＩＣＭ録音の音声をモニタし、コードレス電話親機１０又はコードレス電話子機３０においてオフフックによる応答があれば着信可能である。この期間中に着信に対する応答が無ければ、着信は切断される。
【００９３】
符号５０２に示す宅内の携帯電話機４０−１は、符号５０４に示すベル着信の期間は、ベル鳴動を所定時間（ここではコードレス電話親機１０及びコードレス電話子機３０がベル鳴動する期間に合わせる）繰り返す。この期間中に着信に対する応答が無ければ、ベル鳴動を停止し、符号５０５に示すＯＧＭ再生の期間に移る。
【００９４】
符号５０５に示すＯＧＭ再生の期間は、「留守電応答中」を表示し、携帯電話機４０−１においてオフフックによって着信に対する応答があれば着信可能である。この期間中に着信に対する応答が無ければ、符号５０６に示すＩＣＭ録音の期間に移る。
【００９５】
符号５０６に示すＩＣＭ録音の期間は、「留守電応答中」を表示し、携帯電話機４０−１においてオフフックによる応答があれば着信可能である。この期間中に着信に対する応答が無ければ、着信は切断される。
【００９６】
符号５０３に示す宅外の携帯電話機４０−２は、符号５０４に示すベル着信の期間は、ベル鳴動を所定時間（ここではコードレス電話親機１０及びコードレス電話子機３０がベル鳴動する期間）繰り返す。この期間中に着信に対する応答が無ければ、ベル鳴動を停止することなく、符号５０５に示すＯＧＭ再生の期間に移る。
【００９７】
符号５０５に示すＯＧＭ再生の期間は、ベル鳴動は継続し、携帯電話機４０−２においてオフフックによって着信に対する応答があれば着信可能である。この期間中に着信に対する応答が無ければ、符号５０６に示すＩＣＭ録音の期間に移る。
【００９８】
符号５０６に示すＩＣＭ録音の期間は、ベル鳴動は継続し、携帯電話機４０−２においてオフフックによる応答があれば着信可能である。この期間中に着信に対する応答が無ければ、着信は切断される。
【００９９】
以上、説明したように、本実施形態のコードレス電話装置によれば、固定電話網からの着信に対して、コードレス電話装置の親機が留守電応答中であっても、宅外に持ち出した携帯情報端末（つまり、宅外スマホとして設定された携帯電話機４０−２）は留守電応答が終了するまでは着信鳴動を継続するため、利用者は応答機会を失うことなく着信に応答することができる。
【０１００】
（第２の実施形態）
第２の実施形態では、第１の実施形態において説明したコードレス電話システムの留守応答時の動作の変形例について説明する。
【０１０１】
＜留守応答時の動作の変形例＞
図１０は、第２の実施形態におけるコードレス電話システムの留守応答シーケンス図である。以下、図１０のシーケンス図に従って、留守応答時の動作について説明する。なお、着信呼出に至るまでの動作については図５と同様であるため説明を省略し、留守応答時の動作を説明した図６と重複する部分については説明を簡略化する。
【０１０２】
呼出中の状態に遷移したコードレス電話親機１０は、所定の時間が経過してもコードレス電話子機３０、携帯電話機４０−１、携帯電話機４０−２及びコードレス電話親機１０自身での利用者による応答操作がなかった場合（ステップ６０１）、以下に示す留守番電話メッセージによる留守応答を行う。
【０１０３】
コードレス電話親機１０は、留守応答に先立ち、先ずコードレス電話親機１０自身の着信鳴動を停止するとともに、コードレス電話子機３０と携帯電話機４０−１に対して着信鳴動の停止処理を行う（ステップ６０２）。
【０１０４】
ここで、第２実施形態におけるコードレス電話システムにおいて第１に特徴的なことは、第１の実施形態で説明したものと同様に、留守応答を行う場合に、宅外の携帯電話機４０、即ち携帯電話機４０−２に対しては着信鳴動の停止処理は行っていないことである。
【０１０５】
コードレス電話親機１０は、次に、携帯電話機４０−１の他に携帯電話機４０−２及びコードレス電話子機３０に対して留守応答中を表示する処理を行う（ステップ６０３）。
【０１０６】
ここで、第２の実施形態におけるコードレス電話システムにおいて第２に特徴的なことは、留守応答を行う場合に、宅外の携帯電話機４０、即ち携帯電話機４０−２に対しては着信鳴動を継続させたままで、留守応答中である旨を携帯電話機４０−２上に表示することである。
【０１０７】
携帯電話機４０−２への留守応答中を表示する処理も、第１の実施形態で説明したものと同様に、例えばＳＩＰに準拠してＮＯＴＩＦＹメッセージに留守応答中表示を示す情報要素を含めて送信することにより行う。コードレス電話子機３０への留守応答中を表示する処理は、例えば内部メッセージ、あるいは、上記Ｑ．９３１仕様に準拠したＩｎｆｏメッセージ相当のメッセージに留守応答中表示を示す情報要素を含めて送信することにより行う。
【０１０８】
コードレス電話親機１０は、最後に、ＴＡＭ部１０２を制御して留守番電話メッセージの録音・再生動作を開始させるとともに、ＴＡＭ部１０２と、コードレス電話親機１０自身、固定電話網及びコードレス電話子機３０との間の音声パスを接続して留守番電話メッセージを聴取可能に制御する（ステップ６０４）。そして、コードレス電話親機１０は、呼出停止中で留守番電話メッセージ聴取中の状態に遷移する。
【０１０９】
図１１は、第２の実施形態におけるコードレス電話システムの親機の留守応答動作を示すフローチャートである。
【０１１０】
図１１では、図１０において説明したコードレス電話システムの留守応答動作の中でもコードレス電話親機１０の留守応答動作についてさらに詳しく説明する。なお、図７と重複する部分については説明を簡略化する。
【０１１１】
呼出中の状態に遷移したコードレス電話親機１０は、所定の時間が経過したか否かを判断する（ステップ７０１）。
【０１１２】
ステップ７０１において、所定の時間が経過していなければ所定の時間が経過するまで待つ（ステップ７０１：Ｎｏ）。所定の時間が経過していれば（ステップ７０１：Ｙｅｓ）、コードレス電話親機１０自身の着信鳴動を停止する（ステップ７０２）。
【０１１３】
コードレス電話親機１０は、次に記憶部１０３に記憶されている登録子機（つまり、子機として登録されている携帯電話機と、さらにその携帯電話機についての宅外／宅内の情報を含む）と登録子機の現在の状態を参照する（ステップ７０３）。
【０１１４】
ステップ７０３において、呼出中（着信鳴動中）の状態の宅外の携帯電話機があれば（ステップ７０３：Ｎｏ）、留守応答中である旨の表示をさせるためのメッセージを無線ＬＡＮ  Ｉ／Ｆ部１０９を介して送信し、その携帯電話機の状態は変えずに、即ち着信鳴動をさせたままで、留守応答中である旨の表示をさせる（ステップ７０４）。
【０１１５】
ステップ７０３において、呼出中（着信鳴動中）の状態の子機や宅内の携帯電話機があれば（ステップ７０３：Ｙｅｓ）、着信鳴動を停止するためのメッセージをコードレス電話子機無線Ｉ／Ｆ部１０７や無線ＬＡＮ  Ｉ／Ｆ部１０９を介して送信し、その子機や携帯電話機の着信鳴動を停止する（ステップ７０５）。
【０１１６】
そして、コードレス電話親機１０は、その子機や携帯電話機に留守応答中である旨の表示をさせるためのメッセージをコードレス電話子機無線Ｉ／Ｆ部１０７や無線ＬＡＮ  Ｉ／Ｆ部１０９を介して送信し、留守応答中である旨の表示をさせる処理を行う（ステップ７０６）。
【０１１７】
最後に、コードレス電話親機１０は、ＴＡＭ部１０２に留守番電話メッセージの録音・再生動作を開始させるとともに、ＴＡＭ部１０２とコードレス電話親機１０自身、ＴＡＭ部１０２とコードレス電話子機３０及びＴＡＭ部１０２と固定電話網との間の音声パスを接続する（ステップ７０７）。
【０１１８】
そして、コードレス電話親機１０自身は呼出停止中（留守番電話メッセージ聴取中）の状態に遷移する。
【０１１９】
このように、本実施形態のコードレス電話親機１０は、留守応答を行う場合に、コードレス電話子機３０や宅内の携帯電話機４０−１に対しては着信鳴動の停止処理を行うが、宅外の携帯電話機４０−２に対しては着信鳴動の停止処理は行わないのである。
【０１２０】
また、本実施形態のコードレス電話親機１０は、留守応答を行う場合に、宅外の携帯電話機４０−２に対しては着信鳴動を継続させたままで、留守応答中である旨を携帯電話機４０−２上に表示するのである。
【０１２１】
以降、留守応答時の宅外の携帯電話機４０−２の着信への応答動作については、図８の応答シーケンス図の説明と同様であるため説明を省略する。
【０１２２】
＜変形例における留守応答時の時間経過による対応＞
図１２は、第２の実施形態におけるコードレス電話システムの留守応答時の対応を示す図である。なお、留守応答時の対応を説明した図９と重複する部分については説明を簡略化する。
【０１２３】
図１２において、符号８０１に示すコードレス電話親機１０及びコードレス電話子機３０、符号８０２に示す宅内の携帯電話機４０−１、符号８０３に示す宅外の携帯電話機４０−２のそれぞれが、着信からＯＧＭ再生などの時間経過とともに対応可能な動作の一例を示す。
【０１２４】
符号８０１に示すコードレス電話親機１０及びコードレス電話子機３０は、符号８０４に示すベル着信の期間は、ベル鳴動を繰り返す。この期間中に着信に対する応答が無ければ、ベル鳴動を停止し、符号８０５に示すＯＧＭ再生の期間に移る。
【０１２５】
なお、図１２に明示していないが、符号８０４に示すベル着信の期間は、着信に対する応答が可能である（符号８０２に示す宅内の携帯電話機４０−１、符号８０３に示す宅外の携帯電話機４０−２の場合も同様に着信に対する応答が可能）。
【０１２６】
符号８０５に示すＯＧＭ再生の期間は、ＯＧＭ再生の音声をモニタし、コードレス電話親機１０又はコードレス電話子機３０においてオフフックによって着信に対する応答があれば着信可能である。この期間中に着信に対する応答が無ければ、符号８０６に示すＩＣＭ録音の期間に移る。
【０１２７】
符号８０６に示すＩＣＭ録音の期間は、ＩＣＭ録音の音声をモニタし、コードレス電話親機１０又はコードレス電話子機３０においてオフフックによる応答があれば着信可能である。この期間中に着信に対する応答が無ければ、着信は切断される。
【０１２８】
なお、ＯＧＭ再生及びＩＣＭ録音の期間は、無音中でも留守電応答中であることがわかるように「留守電応答中」を表示するようにしても構わない。表示はＬＥＤ（Ｌｉｇｈｔ  Ｅｍｉｔｔｉｎｇ  Ｄｉｏｄｅ）の点滅などによる単純なものでも構わない。
【０１２９】
符号８０２に示す宅内の携帯電話機４０−１は、符号８０４に示すベル着信の期間は、ベル鳴動を所定時間繰り返す。この期間中に着信に対する応答が無ければ、ベル鳴動を停止し、符号８０５に示すＯＧＭ再生の期間に移る。
【０１３０】
符号８０５に示すＯＧＭ再生の期間は、「留守電応答中」を表示し、携帯電話機４０−１においてオフフックによって着信に対する応答があれば着信可能である。この期間中に着信に対する応答が無ければ、符号８０６に示すＩＣＭ録音の期間に移る。
【０１３１】
符号８０６に示すＩＣＭ録音の期間は、「留守電応答中」を表示し、携帯電話機４０−１においてオフフックによる応答があれば着信可能である。この期間中に着信に対する応答が無ければ、着信は切断される。
【０１３２】
なお、ＯＧＭ再生及びＩＣＭ録音の期間は、「留守電応答中」を表示中でも留守電応答中であることがわかるようにコードレス電話親機１０から携帯電話機４０−１にＯＧＭ再生及びＩＣＭ録音の音声データを逐次送信して携帯電話機４０−１から出力するようにしても構わない。
【０１３３】
符号８０３に示す宅外の携帯電話機４０−２は、符号８０４に示すベル着信の期間は、ベル鳴動を所定時間繰り返す。この期間中に着信に対する応答が無ければ、ベル鳴動を停止することなく、符号８０５に示すＯＧＭ再生の期間に移る。
【０１３４】
符号８０５に示すＯＧＭ再生の期間は、「留守電応答中」を表示し、ベル鳴動は継続し、携帯電話機４０−２においてオフフックによって着信に対する応答があれば着信可能である。この期間中に着信に対する応答が無ければ、符号８０６に示すＩＣＭ録音の期間に移る。
【０１３５】
符号８０６に示すＩＣＭ録音の期間は、「留守電応答中」を表示し、ベル鳴動は継続し、携帯電話機４０−２においてオフフックによる応答があれば着信可能である。この期間中に着信に対する応答が無ければ、着信は切断される。
【０１３６】
なお、ＯＧＭ再生及びＩＣＭ録音の期間でも音声モニタが可能なように、設定により、１度目のオフフックで音声モニタを行い、２度目のオフフックにより応答するようにして
も構わない。
【０１３７】
以上、説明したように、変形例のコードレス電話装置によれば、固定電話網からの着信に対して、コードレス電話装置の親機が留守電応答中であっても、宅外に持ち出した携帯情報端末は留守電応答が終了するまでは着信鳴動を継続するため、利用者は応答機会を失うことなく着信に応答することができる。
【０１３８】
また、着信鳴動中の宅外の携帯情報端末には、着信鳴動中であっても親機が留守応答中である旨の表示がされるため、利用者は親機が留守応答中であることを把握しつつ着信に応答することができる。
【０１３９】
（第３の実施形態）
第３の実施形態では、電話装置の一例としてのコードレス電話親機１０が転送先の携帯電話機に対し、コードレス電話親機１０に電話を掛けた発信者の電話機（以下、「発信者電話機」という）の発信者番号を表示させる例を説明する。発信者番号を表示させる携帯電話機４０としては、宅内にある携帯電話機であるスマートフォン（以下、「宅内スマホ」という）４０−１、宅外にある携帯電話機であるスマートフォン（以下、「宅外スマホ」という）４０−２のいずれでもよいが、ここでは、宅外スマホ４０−２に転送する場合を説明する。
【０１４０】
図１３は、第３の実施形態におけるコードレス電話システムの概要を示す模式図である。第３の実施形態のコードレス電話システムは第１の実施形態とほぼ同一の構成を有する。第１の実施形態と同一の構成要素については同一の符号を用いることで、その説明を省略する。
【０１４１】
第３の実施形態のコードレス電話システムでは、コードレス電話親機１０（ＣＤＬ電話親機１０とも表記する場合がある）は、転送電話機の機能を有しており、例えばインターネット等の外部ネットワークに接続されたＳＩＰサーバ６０を介して、宅外スマホ４０−２や宅内スマホ４０−１を含む複数の携帯電話機４０と接続する。また、コードレス電話親機１０は、電話交換局を含む固定電話網７０を介して、個人宅や企業などの様々な固定電話機８０と接続する。
【０１４２】
ＳＩＰ（Ｓｅｓｓｉｏｎ  Ｉｎｉｔｉａｔｉｏｎ  Ｐｒｏｔｏｃｏｌ）サーバ６０は、コードレス電話親機１０や携帯電話機４０（宅内スマホ４０−１、宅外スマホ４０−２）などの複数の電話機とＩＰアドレスの対応関係を集めると共に、これらの間で送受信されるＳＩＰに準拠したメッセージを中継する役目を果たす。言い換えると、ＳＩＰサーバ６０は、コードレス電話親機１０と転送先の携帯電話機（例えば宅外スマホ４０−２）との通信路（セッション）を確立するための中継器の機能を有する。
【０１４３】
コードレス電話親機１０は、固定電話機８０−１から発信者番号が付帯された着信を受け付けると、自身を着信状態に遷移させると共に、自身の電話番号（転送電話機番号）及び発信者番号を付帯して固定電話機８０−１からの着信を、ＳＩＰサーバ６０を中継して宅外スマホ４０−２に転送する。なお、コードレス電話親機１０は、発信先からの着信を受け付けると、一定時間鳴動しても応答が無かった場合に宅外スマホ４０−２に転送してもよいし、予め自動転送が設定されている場合、発信先からの着信を受け付けると同時に自身を鳴動することなく宅外スマホ４０−２に着信を転送してもよい。
【０１４４】
また、宅外スマホ４０−２には、発信者番号表示用の専用アプリが予めインストールされている。宅外スマホ４０−２は、コードレス電話親機１０からの着信転送を受け付けると、ＬＣＤ部１４６の画面に着信があったことを表示するとともに、発信元の固定電話機８０−１の発信者番号及び転送元のコードレス電話親機１０の転送電話機番号の両方を表示する。発信者番号は、例えば「０３ｘｘｘｘｙｙｙｙ」と表示される。転送電話機番号は、例えば「０５０……」と表示される。
【０１４５】
また、宅外スマホ４０−２の記憶部１４３に記憶されている電話帳のデータに、発信者番号が登録されている場合、宅外スマホ４０−２は、発信者番号と併せて、電話帳に登録されている発信者の氏名又は名称を表示する。なお、宅外スマホ４０−２は、発信者の氏名又は名称を表示する場合、発信者番号を表示しなくてもよいし、発信者番号も併せて表示してもよい。
【０１４６】
コードレス電話親機１０が宅外スマホ４０−２に発信者番号を通知する方法として、コードレス電話親機１０と宅外スマホ４０−２との間で情報や音声等の各種データの通信路（つまり、セッション）を確立する時に送信されるＩＮＶＩＴＥメッセージを用いて通知する方法と、ＮＯＴＩＦＹメッセージを用いて通知する方法との２つが想定される。ＩＮＶＩＴＥメッセージは、セッションの確立の開始において使用されるコマンドである。一方、ＮＯＴＩＦＹメッセージは、特定の状態を示す情報（例えば着信中の接続要求の情報）を通知するコマンドであり、セッションの確立と関係なく、使用されるコマンドであるが、本実施形態では、セッションの確立前に使用される。これらのコマンドを用いて発信者番号を通知する方法は、どちらかに固定して設定されてもよいし、ユーザが任意に選択して設定されてもよい。
【０１４７】
（ＩＮＶＩＴＥメッセージによる発信者番号の通知）
図１４は、第３の実施形態におけるセッション確立時にＩＮＶＩＴＥメッセージを用いてコードレス電話親機１０から宅外スマホ４０−２に発信者番号を通知する動作を示すシーケンス図である。発信者電話機としての固定電話機８０−１（図１３参照）から固定電話網７０を介してコードレス電話親機１０に着信があった場合、コードレス電話親機１０は、鳴動し、一定時間鳴動しても、応答が無かった場合、着信転送を開始する（ステップ９０１）。
【０１４８】
コードレス電話親機１０の親機制御部１１０は、記憶部１０３を参照し、転送先の携帯電話機４０として宅外スマホ４０−２の有無を確認する。記憶部１０３には、転送先の子機として、宅外スマホ４０−２、宅内スマホ４０−１及びコードレス電話子機３０が登録されている。なお、転送先として、ここでは、宅外スマホ４０−２を優先させているが、他の電話機を優先させてもよい。また、転送先の宅外スマホ４０−２が一定時間待っても応答しなかった場合、次の宅内スマホ４０−１に転送先を切り替えてもよい。転送先の順番は、ユーザのコードレス電話親機１０に対する操作（例えばＬＣＤ部１０６がタッチパネルにより構成される場合にはタッチ入力操作）により、任意に設定可能である。また、登録した転送先が全て応答しなかった場合、最初の転送先に戻って再び転送先を探してもよい。
【０１４９】
ここで、コードレス電話親機１０から宅外スマホ４０−２への着信転送で使用されるメッセージの仕様は、ＩＥＴＦ（Ｉｎｔｅｒｎｅｔ  Ｅｎｇｉｎｅｅｒｉｎｇ  Ｔａｓｋ  Ｆｏｒｃｅ）により策定された「ＲＦＴＣ３２６１」で規定されている。「ＲＦＴＣ３２６１」には、ＳＩＰに準拠したＩＮＶＩＴＥメッセージなどの仕様が記述されている。
【０１５０】
また、これらのメッセージは、コードレス電話親機１０側のアプリケーションであるＳＩＰ＿ＵＡ（Ｕｓｅｒ  Ａｇｅｎｔ：ユーザエージェント）と、宅外スマホ４０−２側のアプリケーションであるＳＩＰ＿ＵＡとによって、ＳＩＰサーバ６０を介してやり取りされる。
【０１５１】
コードレス電話親機１０は、着信転送を開始すると、宅外スマホ４０−２に対して着信処理を行う。着信処理として、コードレス電話親機１０は、宅外スマホ４０−２にＳＩＰに準拠してＩＮＶＩＴＥメッセージを送信する（ステップ９０２）。宅外スマホ４０−２に送信されるＩＮＶＩＴＥメッセージには、外部ネットワーク（ＷＡＮ）の宛先の他、発信者番号及び転送電話機番号の両方が含まれる。
【０１５２】
宅外スマホ４０−２は、着信メッセージを受信し、ＩＮＶＩＴＥメッセージを受け付けると、受け付けたことを表す「１００  Ｔｒｙｉｎｇ」のレスポンスをコードレス電話親機１０に返す。宅外スマホ４０−２は、ＩＮＶＩＴＥメッセージに付帯された転送電話機番号及び発信者番号の両方をＬＣＤ部１４６の画面に表示する（図１５参照）。
【０１５３】
宅外スマホ４０−２は、ユーザを呼び出すための着信鳴動を開始し（ステップ９０４）、呼び出していることを表す「１８０  Ｒｉｎｇｉｎｇ」のレスポンスをコードレス電話親機１０に送信する（ステップ９０５）。
【０１５４】
宅外スマホ４０−２は、ＳＩＰに準拠した応答を行い、呼出中の状態に遷移する。呼出中の状態とは、具体的にはＬＣＤ部１４６に発信者番号及び転送電話機番号の両方を表示し、着信鳴動を行っている状態である。
【０１５５】
コードレス電話親機１０は、宅外スマホ４０−２から着信メッセージに対する応答を受信した呼出中の状態に遷移する。ユーザが宅外スマホ４０−２の操作部１４５内の通話ボタンｂｎ１（図１５参照）を押して応答すると（ステップ９０６）、宅外スマホ４０−２は、ＩＮＶＩＴＥメッセージに対し、宅外スマホ４０−２を所持するユーザの操作によって通話ボタンｂｎ１が押されて、コードレス電話親機１０との間のセッションを確立できる状態になったことを表す「２００  ＯＫ」のレスポンスをＳＩＰサーバ６０を介してコードレス電話親機１０に送信する（ステップ９０７）。
【０１５６】
コードレス電話親機１０は、「２００  ＯＫ」のレスポンスを受信すると、「ＡＣＫ」を宅外スマホ４０−２に返し（ステップ９０８）、宅外スマホ４０−２とのセッションを確立する。これにより、コードレス電話親機１０に接続された発信元の固定電話機８０−１と宅外スマホ４０−２とが通話中の状態に遷移する（ステップ９０９）。
【０１５７】
図１５は、第３の実施形態における着信鳴動中に表示される宅外スマホ４０−２のＬＣＤ部１４６の画面を示す図である。この画面には、発信者番号「０３ｘｘｘｘｙｙｙｙ」、及び転送電話機番号「０５０……」の両方が表示される。発信者番号及び転送電話機番号の表示は、宅外スマホ４０−２がセッション確立時にコードレス電話親機１０から送信されるＩＮＶＩＴＥメッセージを受け付けてからユーザが通話ボタンｂｎ１を押下するまでの期間において行われる。なお、コードレス電話親機１０は、この期間、自身のＬＣＤ部１０６に発信者番号を表示させてもよい。また、通話が開始されると、通話ボタンｂｎ１の機能は、通話終了ボタンに遷移する。なお、発信者番号及び転送電話機番号の表示は、通話終了となるまで継続させてもよい。
【０１５８】
また、宅外スマホ４０−２は、電話帳の機能を搭載しており、かつ、電話帳のデータに発信者番号が登録されている場合、発信者番号に対応する発信者の氏名又は名称（例えば「Ａさん」）が発信者番号と併せて表示される。なお、電話帳の機能を搭載していない、又は、電話帳のデータに発信者番号が登録されていない場合、宅外スマホ４０−２は、単に発信者番号及び転送電話機番号の両方をＬＣＤ部１４６の画面に表示する。
【０１５９】
このように、ＩＮＶＩＴＥメッセージで発信者番号を通知する場合、着信転送を受けると同時に発信者番号が宅外スマホ４０−２に表示されるので、ユーザは宅外スマホ４０−２に表示された発信者番号を見て、速やかに発信元が誰であるかを安心して確認することができる。
【０１６０】
（ＮＯＴＩＦＹメッセージによる発信者番号の通知）
図１６は、第３の実施形態におけるセッション確立時にＮＯＴＩＦＹメッセージを用いてコードレス電話親機１０から宅外スマホ４０−２に発信者番号を通知する動作を示すシーケンス図である。このシーケンスでは、着信中の接続要求の情報を通知するＮＯＴＩＦＹメッセージが用いられる。なお、ＮＯＴＩＦＹメッセージは、セッションを確立した後でも、送信することは可能であるが、図１６では、セッション確立前、つまり通話中になる前にＮＯＴＩＦＹメッセージを送信する場合を示す。
【０１６１】
図１４のステップ９０１〜９０５と同様の手順で宅外スマホ４０−２は着信鳴動中となっている場合を想定する。ただし、コードレス電話親機１０から宅外スマホ４０−２に送信されるＩＮＶＩＴＥメッセージには、コードレス電話親機１０の転送電話機番号が付帯されているが、発信者番号は付帯されていない。ＩＮＶＩＴＥメッセージを受信した時点では、宅外スマホ４０−２は、ＩＮＶＩＴＥメッセージに含まれる転送電話機番号だけを
ＬＣＤ部１４６の画面に表示する。
【０１６２】
続けて、宅外スマホ４０−２による着信鳴動中、コードレス電話親機１０は、ＳＩＰに準拠してＮＯＴＩＦＹメッセージを宅外スマホ４０−２に送信し、着信中の接続要求の情報を通知する（ステップ１００１）。このＮＯＴＩＦＹメッセージには、着信中の接続要求の情報として、発信者番号が含まれる。
【０１６３】
宅外スマホ４０−２は、ＮＯＴＩＦＹメッセージによる情報の通知を受け付けると、受け付けたことを表す「２００  ＯＫ」のレスポンスを、ＳＩＰサーバ６０を介してコードレス電話親機１０に送信する（ステップ１００２）。宅外スマホ４０−２は、ＮＯＴＩＦＹメッセージに含まれる発信者番号をＬＣＤ部１４６の画面に表示する。
【０１６４】
この後、図１４のステップ９０６〜９０９と同様、宅外スマホ４０−２のユーザが通話ボタンｂｎ１を押下すると、宅外スマホ４０−２は、コードレス電話親機１０によって転送される固定電話機８０−１と通話中になり、宅外スマホ４０−２のユーザと、コードレス電話親機１０に接続された固定電話機８０−１のユーザとが通話を開始する。
【０１６５】
図１７は、第３の実施形態における着信鳴動中に表示される宅外スマホ４０−２のＬＣＤ部１４６の画面を示す図である。ＮＯＴＩＦＹメッセージを受信する前、宅外スマホ４０−２のＬＣＤ部１４６の画面には、転送電話機番号だけが表示される。その後、ＮＯＴＩＦＹメッセージを受信すると、発信者番号及び転送電話機番号が表示されるようになる。
【０１６６】
このように、着信鳴動中であっても、ＮＯＴＩＦＹメッセージの受信前後で宅外スマホ４０−２のＬＣＤ部１４６の画面に表示される情報が変化する。つまり、コードレス電話親機１０から送信されるＮＯＴＩＦＹメッセージを受け付けてから、ユーザが通話ボタンｂｎ１を押下するまでの期間、発信者番号及び転送電話機番号が表示される。なお、コードレス電話親機１０は、この期間、自身のＬＣＤ部１０６の画面に発信者番号を表示させてもよい。
【０１６７】
また、通話が開始されると、通話ボタンｂｎ１の機能は、通話終了ボタン（図示せず）の機能に遷移する。発信者番号及び転送電話機番号の表示は、通話終了となるまで継続させてもよい。
【０１６８】
また、宅外スマホ４０−２は、電話帳の機能を搭載しており、かつ、電話帳のデータに発信者番号が登録されている場合、発信者番号に対応する発信者の氏名「Ａさん」が発信者番号と併せて表示される。なお、電話帳の機能を搭載していない、又は電話帳のデータに発信者番号が登録されていない場合、宅外スマホ４０−２は、単に発信者番号及び転送電話機番号をＬＣＤ部１４６の画面に表示する。
【０１６９】
このように、ＮＯＴＩＦＹメッセージを用いて発信者番号を通知する場合、ＩＮＶＩＴＥメッセージによって転送電話機番号が通知された後、ＮＯＴＩＦＹメッセージによって発信者番号が宅外スマホ４０−２に通知されるので、ユーザは宅外スマホ４０−２の画面に表示された転送電話機番号から少し間を置いて発信者番号を確認できる。
【０１７０】
また、ＩＮＶＩＴＥメッセージに発信者番号が付帯されないことから、ＩＮＶＩＴＥメッセージに含める情報を減らすことができる。
【０１７１】
また、宅外スマホ４０−２がＮＯＴＩＦＹメッセージを受け取らない設定にした場合、発信者番号が表示されないが、その分、通信処理の負荷を軽減できる。この場合、宅外スマホ４０−２のユーザが、転送電話機番号を見て、発信者番号を確認したい場合、コードレス電話親機１０に対し、「状態通知の要求」を意味するＳＵＢＳＣＲＩＢＥリクエストを送信し、コードレス電話親機１０はこの要求に応じてＮＯＴＩＦＹメッセージを送信してもよい。
【０１７２】
また、宅外スマホ４０−２のユーザが、発信者番号を受け取らずに通話を開始した後、通話している相手の発信者番号を確認したい時、コードレス電話親機１０にＮＯＴＩＦＹメッセージの送信を要求し、コードレス電話親機１０はこの要求に応じてＮＯＴＩＦＹメッセージを送信してもよい。これにより、通話している相手の発信者番号を後から確認することも可能である。
【０１７３】
このように、本実施形態のコードレス電話親機１０は、固定電話網７０に接続され、コードレス電話親機１０に対する子機としての携帯電話機である宅外スマホ４０−２と無線接続を行う無線ＬＡＮＩ／Ｆ部１０９（無線通信部）と、固定電話網７０を介した固定電話機８０−１（発信者電話機）からの着信があった場合に、宅外スマホ４０−２を着信鳴動させる親機制御部１１０（制御部）と、を備える。親機制御部１１０は、固定電話機８０−１と宅外スマホ４０−２との通話開始前に、固定電話機８０−１の電話番号とコードレス電話親機１０の電話番号の情報を宅外スマホ４０−２に送信して表示させる。
【０１７４】
これにより、ユーザは、宅外スマホ４０−２を所持するユーザが通話を開始する前に、その宅外スマホ４０−２への転送対象となる元の外線電話（つまり、発信者電話機）の発信者番号を知ることができる。従って、ユーザは、発信者番号、さらには発信者の氏名（名称）を見て、通話を開始するか否かを安心して判断することができる。
【０１７５】
また、コードレス電話親機１０は、コードレス電話親機１０と宅外スマホ４０−２との間におけるセッションの確立時（言い換えると、通信路の形成開始時）に、ＩＮＶＩＴＥメッセージによって固定電話機８０−１の電話番号（発信者番号）とコードレス電話親機１０の電話番号（転送電話機番号）の情報を宅外スマホ４０−２に送信する。
【０１７６】
これにより、コードレス電話親機１０は、セッション確立時に、転送電話機であるコードレス電話親機１０の電話番号と固定電話機８０−１の電話番号との両方を同時に宅外スマホ４０−２に表示させることができ、ユーザは転送電話の着信時に応対するか否かを速やかに判断できる。
【０１７７】
また、コードレス電話親機１０は、コードレス電話親機１０と宅外スマホ４０−２との間におけるセッションの形成開始時に、ＩＮＶＩＴＥメッセージによって固定電話機８０−１の電話番号（発信者番号）を宅外スマホ４０−２に送信し、さらにその後、ＮＯＴＩＦＹメッセージによって固定電話機８０−１の電話番号（発信者番号）の情報を宅外スマホ４０−２に送信する。
【０１７８】
これにより、コードレス電話親機１０は、セッションを確立する前、任意のタイミングで発信者電話機の電話番号を宅外スマホ４０−２に表示させることができ、ユーザは、転送電話機番号を見た後、続けて表示される発信者番号を見て、転送電話の着信に応答するか否かを判断できる。また、誰からの電話も受け付けられない状態にある時、発信者番号を見ることなく、即座に着信拒否することも可能である。
【０１７９】
また、コードレス電話親機１０は、宅外スマホ４０−２で通話ボタンｂｎ１が押されると（通話開始の操作がある）と、通話開始の操作に応じて、固定電話機８０−１と宅外スマホ４０−２との間の通話を開始させる。これにより、ユーザの通話の意思を確認して通話を開始させることができ、不用意に繋いでしまうことを防止できる。
【０１８０】
（第４の実施形態）
第４の実施形態では、第３の実施形態のコードレス電話システムにおいて、さらに、携帯電話機４０を所持するユーザが、コードレス電話親機１０から転送された着信に対して何かしらの事情により応答できなかった場合に、携帯電話機４０の着信履歴に記録された発信者番号を元に、コールバック（折返し電話）を行う例を説明する。
【０１８１】
一般に、携帯電話機は、コードレス電話親機１０を含む外部電話装置から着信を受けた場合、その事実及び発信者の電話番号の組み合わせを着信履歴のデータとして保持する。以下、携帯電話機を所持するユーザが、着信転送元としてのコードレス電話親機１０から転送された着信に対して何かしらの事情により応答できなかった場合、着信履歴に記録された発信者番号を元に、携帯回線網を介してコールバックを行うことを想定する。この場合、携帯電話機を所持するユーザは、携帯電話機４０が携帯回線網を使用した場合には、通常の携帯電話料金に基づく課金がされるため、比較的高い通信料を支払わなければならず、ユーザーフレンドリではなかった。
【０１８２】
また、携帯電話機４０が携帯電話網を介してコールバックすると、発信者電話機（つまり、固定電話機８０）の表示部には、本来発信者電話機のユーザが電話をかけたい通話相手の転送先電話機（つまり、コードレス電話親機１０）の電話番号ではない携帯電話機４０の電話番号が表示される。このため、発信者電話機のユーザは、携帯電話機の電話番号を見ても、コールバックであることを正確に理解できず、誰からの電話であるか分からないままことがあった。
【０１８３】
そこで、第４の実施形態では、携帯電話機４０が発信者電話機（つまり、固定電話機８０）に対してコールバックを行う方法として、２通りの方法を説明する。即ち、第１のコールバック方法は、携帯電話機４０がコードレス電話親機１０を介して発信者電話機（固定電話機８０）にコールバックを行う方法である。第２のコールバック方法は、携帯電話機４０がコードレス電話親機１０を介さずに、携帯電話機４０が契約等によって使用可能な携帯回線網を介して直接に発信者電話機（固定電話機８０）にコールバックを行う方法である。また本実施形態では、携帯電話機４０は、上述した第１の実施形態において説明した宅内スマホ４０−１、宅外スマホ４０−２のいずれであってもよい。
【０１８４】
（第１のコールバック方法）
本実施形態のコードレス電話システムは、第３の実施形態における図１３で示した構成と同一の構成を有する。図１８は、第４の実施形態におけるコードレス電話親機１０を経由する、携帯電話機４０から固定電話機８０へのコールバックの説明図である。ここで、携帯電話機４０の携帯電話番号は「０９０１２３４△△○○」である。転送電話機であるコードレス電話親機１０の電話番号は「０５０……」である。発信者電話機である固定電話機８０の電話番号（発信者番号）は「０３ｘｘｘｘｙｙｙｙ」である。
【０１８５】
コードレス電話親機１０は、固定電話網７０を介して固定電話機８０からの着信を受けると、ＳＩＰサーバ６０を介して、携帯電話機４０に着信を転送する。携帯電話機４０が例えばマナーモードに設定されていたためにユーザが転送された着信に気付かない場合、又はユーザが会議中や電車内等の通話が禁止される場所に居て転送された着信に応答できない場合、この着信は、携帯電話機４０の記憶部１４３に記憶された着信履歴に未応答として記録される（図１９参照）。
【０１８６】
携帯電話機４０のユーザが、着信履歴に記録された未応答の着信を事後的に見て、コールバック（折返し電話）の操作（言い換えると、固定電話機８０への発呼操作）を行うと、コードレス電話親機１０は、ＳＩＰサーバ６０を介して携帯電話機４０から送信された着信を固定電話機８０に転送する。固定電話機８０のユーザ（ここでは、Ａさん）は、転送先電話機であるコードレス電話親機１０の電話番号「０５０……」を見てコールバックであることを確認し、この着信に応答することができる。
【０１８７】
これにより、携帯電話機４０のユーザと固定電話機８０のユーザとの間で通話が開始される。なお、固定電話機８０のユーザがコールバックの着信に応答したくない場合、そのまま放置してもよいことは通常の電話と同じである。
【０１８８】
コードレス電話親機１０の子機として登録されている携帯電話機４０がコードレス電話親機１０と通信を行う場合、携帯電話機４０及びコードレス電話親機１０の使用契約にもよるが、携帯電話機４０側の通信料は、通常、携帯回線網を使用する場合に比べるとかなり安価又は無料に設定されていることが多い。従って、コードレス電話親機１０を介してコールバックを行う場合、携帯電話機４０のユーザは、通信料を気にすることなく通話を行うことができる。また、固定電話機８０には、携帯電話機４０の携帯電話番号でなく、コードレス電話親機１０の電話番号が通知される。従って、固定電話機８０のユーザは、本来自分が通話したいと考えて発呼した通話相手としてのコードレス電話親機１０の電話番号を用いたコールバックの着信であることを確認でき、安心して電話に応答することができる。
【０１８９】
図１９は、着信履歴が表示された携帯電話機４０のＬＣＤ部１４６の第１画面例を示す図である。携帯電話機４０が電話帳の機能を搭載しており、かつ、電話帳のデータに発信者番号が登録されている場合、着信転送時、発信者番号に対応する発信者名として発信者の氏名又は名称（ここでは、「Ａさん」）が発信者番号及び転送電話機番号と併せて表示される（図１８参照）。なお、電話帳の機能を搭載していない、又は、電話帳のデータに発信者番号が登録されていない場合、携帯電話機４０は、単に発信者番号及び転送電話機番号をＬＣＤ部１４６の画面に表示する。
【０１９０】
携帯電話機４０のユーザがＬＣＤ部１４６の画面に対し、所定の操作（つまり、着信履歴を表示する操作）を行うと、携帯電話機４０への着信履歴が時系列に表示される。なお、着信履歴の表示は、ユーザが所定の操作を行うことなく、携帯電話機４０に着信があった場合、自動的に表示されるようにしてもよい。
【０１９１】
着信履歴には、着信の日時と、発信者名又は発信者番号と、転送の有無とが項目として記録され、携帯電話機４０のＬＣＤ分１４６にも表示される。携帯電話機４０の電話帳に電話番号が登録されている場合、発信者名が表示されるが、登録されていない場合、発信者番号が表示される。転送の有無では、コードレス電話親機１０からの着信であった場合、「転送」の文字が表示される。
【０１９２】
図１９では、日時「１／２５  ９：２８」に「Ｄさん」からの着信があったことが記録されている。つまり、「Ｄさん」からの着信は、コードレス電話親機１０を介して転送されたものではなく、例えば携帯回線網を介して携帯電話機４０に対して直接あったものである。
【０１９３】
また、図１９では、日時「１／２５  １０：００」に「Ａさん」からの着信がコードレス電話親機１０によって転送されたことが記録されている。つまり、「Ａさん」からの着信は、コードレス電話親機１０を介して転送されたものである。
【０１９４】
携帯電話機４０のユーザは、「Ａさん」からの着信がコードレス電話親機１０により転送されたことに対し、コールバックを行うとする。この場合、ユーザは、携帯電話機４０のＬＣＤ部１４６の画面に表示された、点線枠ｅで示す「転送」の領域を指ｆｇでタップ操作すると、携帯電話機４０は、コードレス電話親機１０を経由したコールバックの開始処理を実行する。上述した指ｆｇによるタップ操作は、コードレス電話親機１０を経由する固定電話機８０へのコールバック操作（発呼操作）に相当する。
【０１９５】
携帯電話機４０がコードレス電話親機１０を経由したコールバックを開始する際、コードレス電話親機１０に転送番号（つまり、発信者電話機である固定電話機８０の電話番号）を通知する方法として、コードレス電話親機１０と携帯電話機４０との間でセッションを確立する時に送信される、ＩＮＶＩＴＥメッセージを用いて通知する方法（図２０参照）と、ＮＯＴＩＦＹメッセージを用いて通知する方法（図２０参照）とが想定される。
【０１９６】
ＩＮＶＩＴＥメッセージは、セッションの確立の開始において使用されるコマンドである。一方、ＮＯＴＩＦＹメッセージは、着信中の接続要求の情報を通知するコマンドであり、セッションの確立と関係なく、使用されるコマンドであるが、本実施形態では、上述した第３の実施形態と同様にセッションの確立前に使用される。これらのコマンドを用いて転送番号を通知する方法は、どちらかに固定して設定されてもよいし、ユーザが任意に選択して設定されてもよい。
【０１９７】
（ＩＮＶＩＴＥメッセージによる転送番号の通知）
図２０は、セッション確立時にＩＮＶＩＴＥメッセージを用いて携帯電話機４０がコードレス電話親機１０にコールバック対象の電話番号を通知してコールバックを行う動作例を説明するシーケンス図である。携帯電話機４０は、コードレス電話親機１０から着信転送があった場合、着信履歴に記録された発信者電話機である固定電話機８０に対し、コールバックを行う。
【０１９８】
ここで、コードレス電話親機１０を介して携帯電話機４０から固定電話機８０へのコールバックで使用されるメッセージの仕様は、第３の実施形態における着信転送と同様、ＩＥＴＦ（Ｉｎｔｅｒｎｅｔ  Ｅｎｇｉｎｅｅｒｉｎｇ  Ｔａｓｋ  Ｆｏｒｃｅ）により策定された「ＲＦＴＣ３２６１」で規定されている。「ＲＦＴＣ３２６１」には、ＳＩＰに準拠したＩＮＶＩＴＥメッセージ等の仕様が記述されている。
【０１９９】
また、このメッセージは、携帯電話機４０側のアプリケーションであるＳＩＰ＿ＵＡ（Ｕｓｅｒ  Ａｇｅｎｔ：ユーザエージェント）と、コードレス電話親機１０側のアプリケーションであるＳＩＰ＿ＵＡとによって、ＳＩＰサーバ６０を介してやり取りされる。
【０２００】
携帯電話機４０は、コールバックの操作（つまり、固定電話機８０への発呼操作）を受け付けると、ＳＩＰサーバ６０を介してコードレス電話親機１０にＳＩＰに準拠してＩＮＶＩＴＥメッセージを送信する（ステップ１３０１）。コードレス電話親機１０に送信されるＩＮＶＩＴＥメッセージには、外部ネットワーク（ＷＡＮ）の宛先の他、転送番号が含まれる。この転送番号は、発信者電話機である固定電話機８０の電話番号である。
【０２０１】
コードレス電話親機１０は、ＩＮＶＩＴＥメッセージを受け付けると、受け付けたことを表す「１００  Ｔｒｙｉｎｇ」のレスポンスを携帯電話機４０に返す（ステップ１３０２）。コードレス電話親機１０は、ＩＮＶＩＴＥメッセージに付加された転送番号をＬＣＤ部１０６の画面に表示する。
【０２０２】
コードレス電話親機１０は、呼び出していることを表す「１８０  Ｒｉｎｇｉｎｇ」のレスポンスを携帯電話機４０に送信する（ステップ１３０３）。
【０２０３】
コードレス電話親機１０は、ＩＮＶＩＴＥメッセージに付加された転送番号を用いて、発信者電話機である固定電話機８０に電話発呼を行う（ステップ１３０４）。固定電話機８０は、携帯電話機４０からの電話発呼を受けると、呼出中の状態に遷移する。呼出中の状態では、固定電話機８０は、そのＬＣＤ部の画面に転送電話機であるコードレス電話親機１０の転送先電話番号を表示し、着信鳴動を行う。固定電話機８０のユーザが例えば受話器をオフフックすると、固定電話機８０は、携帯電話機４０に応答することができる（ステップ１３０５）。コードレス電話親機１０は、ＩＮＶＩＴＥメッセージに対し、固定電話機８０とのセッションを確立できる状態になったことを表す「２００  ＯＫ」のレスポンスを、ＳＩＰサーバ６０を介して携帯電話機４０に送信する（ステップ１３０６）。
【０２０４】
携帯電話機４０は、「２００  ＯＫ」のレスポンスを受信すると、「ＡＣＫ」をコードレス電話親機１０に返し（ステップ１３０７）、コードレス電話親機１０とのセッションを確立する。これにより、コードレス電話親機１０は、ステップ１３０５で応答した発信者電話機である固定電話機８０と携帯電話機４０との間で通話中の状態に遷移させることができる（ステップ１３０８）。
【０２０５】
このように、ＩＮＶＩＴＥメッセージで転送番号を通知してコールバックを行う場合、コードレス電話親機１０は、携帯電話機４０から発信者電話機である固定電話機８０への接続要求があると、速やかに固定電話機８０に接続することができる。
【０２０６】
（ＮＯＴＩＦＹメッセージによる転送番号の通知）
図２１は、セッション確立時にＮＯＴＩＦＹメッセージを用いて携帯電話機４０がコードレス電話親機１０にコールバック対象の電話番号を通知してコールバックを行う動作例を説明するシーケンス図である。図２１では、着信中の接続要求の情報を通知するＮＯＴＩＦＹメッセージが用いられる。なお、ＮＯＴＩＦＹメッセージは、セッションを確立した後でも、送信することは可能であるが、ここでは、セッション確立前、つまり通話中になる前にＮＯＴＩＦＹメッセージを送信する場合を説明する。
【０２０７】
図２０のステップ１３０１〜１３０３と同様の手順で、コードレス電話親機１０が携帯電話機４０からのコールバックを着信中である場合を想定する。ただし、ステップ１３０１Ａで携帯電話機４０からコードレス電話親機１０に送信される、ＩＮＶＩＴＥメッセージには、転送番号は付加されていない。ＩＮＶＩＴＥメッセージを受信した時点では、コードレス電話親機１０は、転送番号を受けていないので、単に接続要求を受けた状態である。
【０２０８】
携帯電話機４０は、ＳＩＰに準拠してＮＯＴＩＦＹメッセージをコードレス電話親機１０に送信し、着信中の接続要求の情報を通知する（ステップ１４０１）。このＮＯＴＩＦＹメッセージには、着信中の接続要求の情報として、上述した転送番号（つまり、発信者電話機である固定電話機８０の電話番号）が含まれる。
【０２０９】
コードレス電話親機１０は、ＮＯＴＩＦＹメッセージによる情報の通知を受け付けると、受け付けたことを表す「２００  ＯＫ」のレスポンスを、ＳＩＰサーバ６０を介して携帯電話機４０に送信する（ステップ１４０２）。携帯電話機４０は、「２００  ＯＫ」のレスポンスを受信する。
【０２１０】
コードレス電話親機１０が転送番号の通知を受けると、図２１のステップ１３０４〜１３０８と同様に、コードレス電話親機１０は固定電話機８０に電話発呼を行い、通話中に移行する動作を行う。これらの手順は、前述した図２０の場合と同様であるので、その説明を省略する。
【０２１１】
このように、ＩＮＶＩＴＥメッセージが通知された後、ＮＯＴＩＦＹメッセージによって転送番号がコードレス電話親機１０に通知される。ＩＮＶＩＴＥメッセージに転送番号が付加されないことから、ＩＮＶＩＴＥメッセージに含める情報を減らすことができる。また、携帯電話機４０は、任意のタイミングで、転送番号が付帯されたＮＯＴＩＦＹメッセージを送信することが可能である。
【０２１２】
（第２のコールバック方法）
図２２は、第４の実施形態における携帯回線網９０を経由する、携帯電話機４０から固定電話機８０へのコールバックの説明図である。コードレス電話システムは、第３の実施形態における図１３で示した構成と同一の構成を有する。
【０２１３】
携帯電話機４０のユーザが、着信履歴に記録された未応答の着信を事後的に見て、携帯回線網９０を介してコールバック（折返し電話）を行うと、携帯電話機４０が発信者電話機である固定電話機８０に対して直接に電話発呼を行う。固定電話機８０のユーザがこれに応答すると、携帯電話機４０のユーザと固定電話機８０のユーザとの間で通話が開始される。なお、固定電話機８０のユーザがコールバックの着信に応答したくない場合、そのまま放置してもよいことは通常の電話と同じである。携帯回線網９０は、例えば３Ｇ（3rd Generation）回線あるいは４Ｇ回線である。
【０２１４】
図２３は、着信履歴が表示された携帯電話機４０のＬＣＤ部１４６の第２画面例を示す図である。携帯電話機４０の画面に表示された着信履歴は、図１９と同様である。携帯電話機４０のユーザが「Ａさん」からの着信転送に対し、携帯回線網９０を介してコールバックを行う場合、ユーザは、携帯電話機４０のＬＣＤ部１４６の画面に表示された、点線枠ｈで示す「Ａさん」の領域を指ｆｇでタップ操作すると、携帯電話機４０は、携帯回線網９０を介したコールバックを開始する。
【０２１５】
図２４は、携帯回線網９０を介して携帯電話機４０が固定電話機８０にコールバックを行う動作例を示すシーケンス図である。携帯電話機４０は、コールバックの操作を受け付けると、固定電話機８０に電話発呼を行う（ステップ１５０１）。固定電話機８０は、携帯電話機４０からの電話発呼があると、着信鳴動する。固定電話機８０のユーザが例えば受話器をオフフックすると、固定電話機８０は、携帯電話機４０に応答する（ステップ１５０２）。この応答により、携帯電話機４０のユーザと固定電話機８０のユーザとの間で通話が開始される（ステップ１５０３）。
【０２１６】
このように、携帯電話機４０が携帯回線網９０を介して直接に固定電話機８０にコールバックを行う場合、コードレス電話親機１０を介することなく、速やかな応答が可能である。反面、コードレス電話親機１０を介して固定電話網７０を利用しなくなることから、携帯電話機４０側では、携帯回線網９０を利用したことによる、比較的高い通信料が発生する。
【０２１７】
また、発信者電話機である固定電話機８０のユーザは、固定電話機８０の表示部に表示される着信相手の電話番号が、自身が電話したコードレス電話親機１０の電話番号でなく、転送先であることを知らない携帯電話機４０の携帯電話番号であることから、コールバックであることを知らないまま応答することになる。この場合、固定電話機８０のユーザが、知らない電話番号からの着信には応答しないと決めていると、コールバックによる通話が実現しないことになる。
【０２１８】
以上により、第４の実施形態のコードレス電話親機１０は、固定電話網７０に接続され、コードレス電話親機１０に対する子機としての携帯電話機４０と無線接続を行う無線ＬＡＮＩ／Ｆ部１０９（無線通信部）と、固定電話網７０を介した固定電話機８０（発信者電話機）からの着信があった場合に、携帯電話機４０を着信鳴動させる親機制御部１１０（制御部）と、を備える。親機制御部１１０は、コードレス電話親機１０からの着信が着信履歴として携帯電話機４０により記録（保持）されている場合に、着信履歴に対する発信者電話機（固定電話機８０）への発呼操作に応じて、携帯電話機４０からのコードレス電話親機１０の電話番号を用いたコールバックを固定電話機８０に対して行う。
【０２１９】
これにより、コードレス電話親機１０は、携帯電話機４０の着信履歴に保持された固定電話機８０に対してコールバックを行う際に、携帯電話機４０の通信料を低減でき、固定電話機８０のユーザに対し、そのユーザが希望する通話相手からのコールバックであることを通知できる。また、固定電話機８０のユーザは、転送元のコードレス電話親機１０の電話番号を見て、コールバックであることを確認できるので、安心して応答できる。
【０２２０】
また、コードレス電話親機１０は、コールバックに対する固定電話機８０の応答操作に応じて、携帯電話機４０と固定電話機８０との間で通話を開始させる。これにより、固定電話機８０のユーザが着信に応答するための操作を行うと、コードレス電話親機１０は、携帯電話機４０と固定電話機８０との間の通話を迅速に開始できる。
【０２２１】
また、コードレス電話親機１０は、携帯電話機４０のユーザの着信履歴に対するコールバック操作（発呼操作）により、コードレス電話親機１０と携帯電話機４０との間におけるセッション確立（通信路の形成開始）時にＩＮＶＩＴＥメッセージで、携帯電話機４０から送信されたコールバック対象となる固定電話機８０の電話番号（転送番号）の情報を受信する。コードレス電話親機１０は、この受信した電話番号の情報を用いて、コールバックを行う。これにより、コードレス電話親機１０は、ＩＮＶＩＴＥメッセージで転送番号を通知してコールバックを行う場合、携帯電話機４０から発信者電話機である固定電話機８０への接続要求があると、速やかに固定電話機８０に接続することができる。
【０２２２】
また、コードレス電話親機１０は、携帯電話機４０のユーザの着信履歴に対するコールバック操作（発呼操作）により、コードレス電話親機１０と携帯電話機４０との間におけるセッション確立（通信路の形成開始時）にＩＮＶＩＴＥメッセージで、携帯電話機４０から接続要求を受信する。さらに、コードレス電話親機１０は、この接続要求を受信した後に、ＮＯＴＩＦＹメッセージで携帯電話機４０から送信されたコールバック対象となる固定電話機８０の電話番号の情報を受信する。コードレス電話親機１０は、この受信した電話番号の情報を用いて、コールバックを行う。これにより、コードレス電話親機１０は、ＩＮＶＩＴＥメッセージに転送番号を付加しなくて済むので、ＩＮＶＩＴＥメッセージに含める情報量を相対的に減らすことができる。また、携帯電話機４０は、任意のタイミングで、転送番号が付帯されたＮＯＴＩＦＹメッセージを送信することが可能である。
【０２２３】
また、コードレス電話親機１０は、固定電話機８０からの着信があった場合に、固定電話機８０の電話番号を付加して携帯電話機４０に着信を転送する。これにより、携帯電話機４０は、着信履歴に記録されている固定電話機８０の電話番号（転送番号）を用いて携帯回線網９０を介して直接にコールバックを行うことができる。
【０２２４】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０２２５】
例えば、上述した第４の実施形態では、コードレス電話親機１０は、固定電話機８０の電話番号の情報を記憶しているので、携帯電話機４０からのコールバックの際、携帯電話機４０からコードレス電話親機１０に送信されるＩＮＶＩＴＥメッセージに、発信者電話番号である転送番号を付けていた。しかし、この転送番号は付加されなくても構わない。例えば携帯電話機４０がＩＮＶＩＴＥメッセージに固定電話機８０のユーザ名（人物名）を付帯した場合、コードレス電話親機１０は、そのユーザ名を検索するために電話帳データを参照し、ユーザ名に対応する電話番号に着信を転送するようにしてもよい。
【０２２６】
また、コードレス電話親機１０は、携帯電話機４０からの着信をコールバックとみなし、自装置の着信履歴に従って固定電話機８０に転送するようにしてもよい。
【０２２７】
また、コードレス電話親機１０は、固定電話機８０からの着信を携帯電話機４０に転送する際、この着信に識別情報を付加しておき、携帯電話機４０がＩＮＶＩＴＥメッセージにこの識別情報を付帯した場合、コードレス電話親機１０は、識別情報に対応する電話番号に着信を転送するようにしてもよい。
【０２２８】
このように、コードレス電話親機１０は、携帯電話機４０がコールバックを行う際、携帯電話機４０の電話番号と固定電話機８０の電話番号との間で対応付けされている限り、ＩＮＶＩＴＥメッセージに転送番号が付いていなくても、携帯電話機４０からの着信を固定電話機８０に転送可能である。なお、ＮＯＴＩＦＹメッセージにおいても、同様に転送番号を付けなくてもよい。これにより、携帯電話機４０がコールバックを行う際の処理が簡単になる。
【０２２９】
また、携帯電話機４０のユーザが携帯回線網９０を介して直接にコールバックを行う場合、着信履歴に記録されているコードレス電話親機１０の電話番号を付け足して、固定電話機８０に電話発呼してもよい。この場合、固定電話機８０のユーザは、携帯電話機４０の電話番号とともに転送電話機であるコードレス電話親機１０の電話番号が固定電話機８０の表示部に表示されるので、安心して電話に応答できる。
【０２３０】
また、第３、第４の実施形態のコードレス電話システムでは、コードレス電話親機１０と宅外スマホ４０−２との間に中継機であるＳＩＰサーバ６０が介在していたが、接続される電話機の数が少ない場合や中継しなくてもよい場合等においては、ＳＩＰサーバ６０を介在させずにコードレス電話親機１０と宅外スマホ４０−２とが接続されるコードレス電話システムを構成することも可能である。
【０２３１】
また、本発明は、上記実施形態の電話装置の機能を実現するプログラムを、ネットワークあるいは各種記憶媒体を介して電話装置に供給し、この電話装置内のコンピュータが読み出して実行するプログラムも適用範囲である。
【産業上の利用可能性】
【０２３２】
本発明は、子機としての携帯電話機の着信履歴に保持された発信者電話機に対してコールバックを行う際に、携帯電話機の通信料を低減でき、発信者電話機のユーザに対し、そのユーザが希望する通話相手からのコールバックであることを通知できるコードレス電話装置等の電話装置及び着信転送制御方法として有用である。
【符号の説明】
【０２３３】
１０  コードレス電話親機（ＣＤＬ電話親機）
２０  アクセスポイント
３０  コードレス電話子機
４０  携帯電話機
４０−１  宅内スマホ（携帯電話機）
４０−２  宅外スマホ（携帯電話機）
６０  ＳＩＰサーバ
７０  固定電話網
８０、８０−１  固定電話機
９０  携帯回線網
１０１  ＮＣＵ及びモデム部
１０２  ＴＡＭ部
１０３、１３１、１４３  記憶部
１０４、１３２、１４４  音声入出力部
１０５、１３３、１４５  操作部
１０６、１３４、１４６  ＬＣＤ部
１０７  コードレス電話子機無線Ｉ／Ｆ部
１０８  コードレス電話子機制御部
１０９、１４７  無線ＬＡＮ  Ｉ／Ｆ部
１１０  親機制御部
１４６  ＬＣＤ部
ｂｎ１  通話ボタン
ｅ、ｈ  枠
ｆｇ  指
【図１】
2017158051.tif 000003
【図２】
2017158051.tif 000004
【図３】
2017158051.tif 000005
【図４】
2017158051.tif 000006
【図５】
2017158051.tif 000007
【図６】
2017158051.tif 000008
【図７】
2017158051.tif 000009
【図８】
2017158051.tif 000010
【図９】
2017158051.tif 000011
【図１０】
2017158051.tif 000012
【図１１】
2017158051.tif 000013
【図１２】
2017158051.tif 000014
【図１３】
2017158051.tif 000015
【図１４】
2017158051.tif 000016
【図１５】
2017158051.tif 000017
【図１６】
2017158051.tif 000018
【図１７】
2017158051.tif 000019
【図１８】
2017158051.tif 000020
【図１９】
2017158051.tif 000021
【図２０】
2017158051.tif 000022
【図２１】
2017158051.tif 000023
【図２２】
2017158051.tif 000024
【図２３】
2017158051.tif 000025
【図２４】
2017158051.tif 000026